(57)【要約】  データ取得装置（１）が設けられた移植可能な医療装置（３０）を組み立てるためのキットであって、キットは、医療用インプラント（１００）と、データ取得装置（１）であって、１つ以上のセンサ（５）と、１つ以上のセンサ（５）と電気的に接続可能または接続された電子データ処理装置（２）と、データメモリ（１６）と、データ送信装置（４）と、少なくともデータ処理装置（２）、データメモリ（１６）、およびデータ送信装置（４）を封入する生体適合性除菌可能ハウジング（９）と、を備えるデータ取得装置（１）と、を備え、ハウジング（９）は、ハウジング（９）をインプラント（１００）に解放可能に固定させる手段（１０）を備え、データ処理装置（２）は、１つ以上のセンサ（５）から受信した測定データに基づいて統計データを計算し、統計データをデータメモリ（１６）内に記憶させるように、プログラムされており、１つ以上のセンサ（５）はハウジング（９）内に配置されているか、または１つ以上のセンサ（５）は選択された位置でインプラント（１００）に個別に固定可能である。
2018522605.tif 000002
【特許請求の範囲】
【請求項１】
データ取得装置（１）が設けられた移植可能な医療装置（３０）を組み立てるためのキットであり、キットは、
医療用インプラント（１００）と、
データ取得装置（１）であって、
１つ以上のセンサ（５）と、
１つ以上のセンサ（５）と電気的に接続可能または接続された電子データ処理装置（２）と、
電子データ処理装置（２）と電気的に接続され、データ処理装置（２）から受信したデータを記憶するのに適したデータメモリ（１６）と、
データメモリ（１６）と電気的に接続されたデータ送信装置（４）と、を備え、
データ取得装置（１）は、少なくともデータ処理装置（２）、データメモリ（１６）、およびデータ送信装置（４）を封入する生体適合性除菌可能ハウジング（９）をさらに備え、
ハウジング（９）は、ハウジング（９）をインプラント（１００）に解放可能に固定させる手段（１０）を備える、データ取得装置（１）と、
を備えるキットであって、
データ処理装置（２）は、１つ以上のセンサ（５）から受信した測定データに基づいて統計データを計算し、統計データをデータメモリ（１６）内に記憶させるように、プログラムされており、
１つ以上のセンサ（５）はハウジング（９）内に配置されているか、または
１つ以上のセンサ（５）は選択可能な位置でインプラント（１００）に個別に固定可能であることを特徴とする、キット。
【請求項２】
データ処理装置（２）は選択可能な期間内での連続データ収集のためにプログラムされている、請求項１に記載のキット。
【請求項３】
データ取得装置（１）は内部クロックをさらに含む、請求項１または２に記載のキット。
【請求項４】
データ処理装置（２）は、最低４時間、好ましくは最低６時間の評価間隔を用いて、統計データを計算するようにプログラムされている、請求項１から３のいずれか一項に記載のキット。
【請求項５】
データ処理装置（２）は、最大４８時間、好ましくは最大２４時間の評価間隔を用いて統計データを計算するようにプログラムされている、請求項１から４のいずれか一項に記載のキット。
【請求項６】
データ処理装置（２）は、選択可能な評価間隔で統計データを自動的に計算するようにプログラムされている、請求項４または５に記載のキット。
【請求項７】
ハウジング（９）は、生体適合性であるが生物分解不可能な金属またはポリマー材料、好ましくはポリエーテルエーテルケトン（ＰＥＥＫ）またはポリエーテルケトンケトン（ＰＥＫＫ）で作られている、請求項１から６のいずれか一項に記載のキット。
【請求項８】
データ送信装置（４）は、好ましくはＢｌｕｅｔｏｏｔｈ、ＲＦＩＤ、またはＮＦＣなど、無線技術規格に基づく無線データ送信機として構成されている、請求項１から７のいずれか一項に記載のキット。
【請求項９】
データ送信装置（４）は、外部データ受信機（６）によってデータメモリ（１６）に記憶された選択データを送信するように作動可能である、請求項１から８のいずれか一項に記載のキット。
【請求項１０】
データ処理装置（２）は外部データ受信機（６）を介してプログラム可能である、請求項１から９のいずれか一項に記載のキット。
【請求項１１】
データ取得装置（１）は電源（３）をさらに備える、請求項１から１０のいずれか一項に記載のキット。
【請求項１２】
電源（３）は電池、蓄電池、キャパシタ、または燃料電池のうちの１つである、請求項１１に記載のキット。
【請求項１３】
蓄電池は、誘導によって、または環境発電によって、好ましくは患者の身体からの熱エネルギーまたは患者の身体運動からの運動エネルギーを引き出すことによって、充電可能である、請求項１２に記載のキット。
【請求項１４】
インプラント（１００）にハウジング（９）を解放可能に固定させる手段（１０）は、ハウジング（９）と一体のまたはこれに結合された、少なくとも１つの固定タブ（１１）を備える、請求項１から１３のいずれか一項に記載のキット。
【請求項１５】
少なくとも１つの固定タブ（１１）は貫通孔（１２）を備える、請求項１４に記載のキット。
【請求項１６】
少なくとも１つの固定タブ（１１）は、締結具を受けるための複数の貫通孔（１２）を備える、請求項１４に記載のキット。
【請求項１７】
ハウジング（９）は、第１の末端（１８）、第２の末端（１９）、２つの長側面（２２ａ、２２ｂ）、上面（２０）、およびインプラント（１００）の表面と接触するのに適した下面（２１）を有する楕円形の形状を有し、ハウジング（９）は、インプラント（１００）との接触を確立するために下面（２１）から突起して、長側面（２２ａ、２２ｂ）まで横方向に延在する、少なくとも１つのリッジ（１７）をさらに備える、請求項１から１６のいずれか一項に記載のキット。
【請求項１８】
インプラント（１００）にハウジング（９）を解放可能に固定させる手段は、少なくとも１つの締結具（１３）または少なくとも１つのクランプを備える、請求項１から１７のいずれか一項に記載のキット。
【請求項１９】
少なくとも１つのクランプは、ハウジング（９）と一体になっている、請求項１８に記載のキット。
【請求項２０】
インプラント（１００）にハウジング（９）を解放可能に固定させる手段（１０）は雄ネジを備える、請求項１から１９のいずれか一項に記載のキット。
【請求項２１】
少なくとも１つのセンサ（５）は、以下の物理量、すなわちインプラント（１００）にかかる負荷、インプラント（１００）内のひずみ、およびインプラント部品の相対変位、のうちの少なくとも１つに関する測定データを取得するのに適している、請求項１から２０のいずれか一項に記載のキット。
【請求項２２】
少なくとも１つのセンサ（５）は、以下の群の測定プローブ、すなわちインダクタンス計、容量計、増分計ひずみゲージ、特に抵抗ひずみゲージ、ロードセル、圧電圧力センサ、加速度計、ジャイロスコープ、ゴニオメータ、磁力計、温度センサ、から選択される、請求項１から２１のいずれか一項に記載のキット。
【請求項２３】
イベント警告用のブザーまたはバイブレータをさらに備える、請求項１から２２のいずれか一項に記載のキット。
【請求項２４】
アクチュエータ、好ましくはディストラクタまたはリトラクタをさらに備える、請求項１から２３のいずれか一項に記載のキット。
【請求項２５】
アクチュエータは、圧電アクチュエータ、モータ、および熱発生器のうちの１つである、請求項２４に記載のキット。
【請求項２６】
インプラント（１００）は、骨に取り付け可能であり、好ましくは骨締結具を受けるのに適した少なくとも１つのネジ穴（１０１）を備える、請求項１から２５のいずれか一項に記載のキット。
【請求項２７】
インプラント（１００）のネジ穴（１０１）内に固定され、インプラント（１００）にハウジング（９）を解放可能に固定するための締結具（１３）を受けるのに適している、少なくとも１つのアダプタ（１４）をさらに備える、請求項２６に記載のキット。
【請求項２８】
アダプタ（１４）は、締結具（１３）を螺合可能に受けるための雌ネジを備える、請求項２４に記載のキット。
【請求項２９】
インプラント（１００）は骨プレートである、請求項１から２８のいずれか一項に記載のキット。
【請求項３０】
１つ以上のセンサ（５）はハウジング（９）内に封入されている、請求項１から２９のいずれか一項に記載のキット。
【請求項３１】
１つ以上のセンサ（５）はハウジング（９）の内壁に取り付けられている、請求項３０に記載のキット。
【請求項３２】
インプラント（１００）は、釘先端、釘末端（１０３）、および釘末端（１０３）において開放している中央カニューレ（１０２）を有する髄内釘である、請求項１から２８のいずれか一項に記載のキット。
【請求項３３】
ハウジング（９）は、髄内釘の釘末端（１０３）に解放可能に固定可能なエンドキャップとして構成されている、請求項３２に記載のキット。
【請求項３４】
１つ以上のセンサ（５）は、髄内釘の中央カニューレ（１０２）内に位置決め可能であり、好ましくは配線を介してデータ取得装置（１）と電気的に接続されている、請求項３２または３３に記載のキット。
【請求項３５】
１つ以上のセンサ（５）は、髄内釘の中央カニューレ（１０２）とのプレス嵌めを形成する形状および寸法になっている、請求項３２から３４のいずれか一項に記載のキット。
【請求項３６】
請求項１から３５のいずれか一項に記載のキットから組み立てられた医療装置（３０）の一部である医療用インプラント（１００）を監視および／または制御する方法であって、
Ａ）センサ（５）によって測定データを取得するステップと、
Ｂ）ステップＡ）で取得された測定データに対してデータ処理装置（２）によってリアルタイム処理を実行するステップと、
Ｃ）ステップＢ）での処理データに基づいて統計データを計算するステップと、
Ｄ）統計データをデータメモリ（１６）に記憶させるステップと、
Ｅ）外部データ受信機（６）によって、データメモリ（１６）内に記憶された選択データを照会およびダウンロードするステップと、
Ｆ）さらなるデータ管理および処理のため、ダウンロードされた選択データを外部データ受信機（６）からコンピュータ（１５）に送信するステップと、
を備える方法。
【請求項３７】
ステップＢ）でのリアルタイム処理は、異なる感度閾値を有する１つまたはいくつかのリアルタイム最小−最大検出器およびそれぞれのピークカウンタを採用することで実行される、請求項３６に記載の方法。
【請求項３８】
ステップＣ）で計算される統計データは、ステップＢ）で得られた処理データに基づくリアルタイムの最大値および最小値の合計ならびにピーク数を含む、請求項３６または３７に記載の方法。
【請求項３９】
ステップＤ）で、統計データは、一日のサイクルにわたる所定の時点でまたは手動要求で、自動的にデータメモリ（１６）内に記憶される、請求項３６から３８のいずれか一項に記載の方法。
【請求項４０】
ステップＡ）で、測定データは選択可能な期間の間、好ましくは１０から３０Ｈｚのサンプリング周波数で連続的に収集される、請求項３６から３９のいずれか一項に記載の方法。
【請求項４１】
ステップＣ）で、統計データは最低４時間、好ましくは最低６時間の評価間隔を用いて計算される、請求項３６から４０のいずれか一項に記載の方法。
【請求項４２】
ステップＣ）で、統計データは最大４８時間、好ましくは最大２４時間の評価間隔を用いて計算される、請求項３６から４１のいずれか一項に記載の方法。
【請求項４３】
ステップＣ）で、統計データは選択可能な評価間隔で自動的に計算される、請求項３６から４２のいずれか一項に記載の方法。
【請求項４４】
ステップＥ）で、選択データを照会およびダウンロードする期間はユーザによって自由に選択可能である、請求項３６から４３のいずれか一項に記載の方法。
【請求項４５】
外部データ受信機（６）は、データ取得装置（１）からデータを照会およびダウンロードするように適切にプログラムされたスマートフォンである、請求項３６から４４のいずれか一項に記載の方法。
【請求項４６】
外部コンピュータは、データ収集用データベースを有するウェブサーバとして構成されている、請求項３６から４５のいずれか一項に記載の方法。
【請求項４７】
ステップＡ）の前に較正手順をさらに備え、較正手順は、
ｉ）患者を秤または歩行板の上に立たせるステップと、
ｉｉ）秤または歩行板に印加される負荷を記録するステップと、
ｉｉｉ）センサ（５）の実出力を読み出すステップと、
ｉｖ）ステップｉｉ）で記録された負荷およびステップｉｉｉ）で読み出されたセンサ（５）の実出力を用いて線形較正係数を計算するステップと、
ｖ）線形較正係数を記憶するステップと、
を備える、請求項３６から４６のいずれか一項に記載の方法。
【請求項４８】
骨接合における骨治癒の監視および／または制御のための、請求項１から３５のいずれか一項に記載のキットから組み立てられた医療装置（３０）の使用。
【請求項４９】
骨延長インプラントを監視および／または制御するための、請求項１から３５のいずれか一項に記載のキットから組み立てられた医療装置（３０）の使用。
【請求項５０】
請求項３６から４７のいずれか一項に記載の方法を実行するための遠隔測定インプラントシステム内の、請求項１から３５のいずれか一項に記載のキットから組み立てられた医療装置（３０）の使用であって、遠隔測定インプラントシステムは、外部データ受信機（６）および外部コンピュータ（１５）をさらに備える、使用。
【請求項５１】
外部データ受信機（６）は無線インターネット接続を備える、請求項５０に記載の使用。
【請求項５２】
外部データ受信機（６）はスマートフォンである、請求項５０または５１に記載の使用。
【請求項５３】
外部コンピュータ（１５）は、データ収集用データベースおよび個人化データアクセスを有するウェブサーバとして構成される、請求項５０から５２のいずれか一項に記載の使用。
【発明の詳細な説明】
【技術分野】
【０００１】
本発明は、請求項１のプリアンブルに記載のデータ取得装置が設けられた医療装置を組み立てるためのキット、ならびに請求項３６のプリアンブルに記載の医療用インプラントを監視および／または制御する方法に関する。
【背景技術】
【０００２】
骨折固定用の医療用インプラント挙動を監視および制御することは、ますます重要になってきた。ひずみ、変位、および伝達力などのインプラントパラメータの測定は、骨治癒のプロセスに関する貴重な情報を提供する。現在の無線技術では、限られた情報を提供する短期間の測定を可能にするだけであり、あるいは埋め込まれた測定装置から外部受信機へ大量のデータを送信する必要がある。
【０００３】
ＭＯＲＧＡＮらによる米国特許第８，４８６，０７０号明細書より、インプラント全体にかかる機械的負荷の測定を可能にするセンサを含む遠隔測定整形外科用インプラントが知られている。この既知のインプラントはさらに、マイクロプロセッサ、１つ以上の記憶装置、電源、およびデータ通信コンポーネントを備える。センサおよび関連する電子コンポーネントは、インプラントの表面上にある１つ以上の陥凹の中に位置しており、その中で生体適合性注封材料によって覆われている。電子コンポーネントは、センサから受信したデータを、有線または無線通信のいずれかによって外部データ受信機に送信し、この外部データ受信機は有線または無線によって外部計算装置に接続される。この既知の装置の不都合は、センサおよび電子コンポーネントが、インプラントに一体化されるので、様々な異なるインプラントが異なる所望のセンサ位置を考慮される必要があることである。
【先行技術文献】
【特許文献】
【０００４】
【特許文献１】米国特許第８，４８６，０７０号明細書
【特許文献２】米国特許出願公開第２０１３／０１９０６５４号明細書
【発明の概要】
【発明が解決しようとする課題】
【０００５】
本発明の目的は、インプラントの監視および／または制御に適しており、移植されたデータ取得装置のエネルギー消費量および必要とされる空間を最小限に抑えながら、関連パラメータの長期間測定およびデータ送信を得られるようにする、データ取得装置が設けられた、移植可能な医療装置を組み立てるためのキットを提供することである。
【課題を解決するための手段】
【０００６】
本発明は、請求項１の特徴を備えるデータ取得装置が設けられた医療装置を組み立てるためのキット、ならびに請求項３６の特徴を備える医療用インプラントを監視および／または制御する方法により、提起された問題を解決する。
【０００７】
本発明によるキットの利点としては、基本的に以下の通りである：
【０００８】
インプラント、センサ、およびデータ取得装置間の開放可能な接続により、標準的なインプラントが使用可能である。インプラントの製造プロセスは、一体化されたデータ取得装置の使用に適応する必要がない。
【０００９】
執刀医は、センサおよび／またはデータ取得装置が移植されるべきか否かを手術中自然に決定することができる。
【００１０】
センサは、解剖的構造および／または骨折を考慮して位置決めされることが可能である。
【００１１】
センサおよび／またはデータ取得装置が異なる位置にある類似のインプラントを製造する必要がない。
【００１２】
データ取得装置および／またはセンサは、インプラントを外植することなく、刺切創を通じて除去されることが可能である。
【００１３】
送信されるデータは、装置の構成に応じて４ヶ月から１２ヶ月の電池寿命の間、たとえば２００ｋＢの量まで著しく減少する可能性がある。省電力モードが適用可能で、日中のデータ収集を４から６時間に短縮できる。このため、患者の体内のサイズ制限を考慮して（たとえば、５０ｍＡｈの能力を有する３Ｖの丸形セルなどの電池を用いて）少なくとも４ヶ月間の間、装置の自律動作が実現可能なように、通常は装置のエネルギー要求の大部分となるデータ送信でのエネルギー消費量が低減可能である。
【００１４】
送信されるデータの減少のため、エネルギー消費量が低く抑えられて、スマートフォンなどの市販受信機が外部データ受信機として使用可能となり専用の電子装置が必要とならないように、たとえばＢｌｕｅｔｏｏｔｈ（登録商標）  Ｌｏｗ  Ｅｎｅｒｇｙなどの低エネルギー無線技術規格が使用可能である。さらに、遠隔データ監視が可能であり、患者はデータ照会およびダウンロードのために診療所に行く必要がない。ダウンロードの時点の選択は重要ではない。
【００１５】
骨治癒に関する情報の取得に最も関連のある長期間測定は、生理的負荷／負荷除去の間にセンサ応答からピークを検出し、振幅を合計し、その合計、サイクル数、および現在のセンサ値のみを患者の外部の無線受信機に送信することによって、実行可能である。長期間測定は、生理的負荷の自然なばらつきをさらに排除して、米国特許出願公開第２０１３／０１９０６５４号明細書より知られるような地面反力評価または第２の基準センサなどの基準測定を不要にする。さらに、なされた歩数に関して一日のサイクルにわたる患者の活動および負荷強度に関するその分布を評価することが、可能になる。また、長期間測定は、不偏で自然な移動運動を、歩行計測室内での人工的な活動とは対照的な、患者の慣れた環境で行われるものとして、捕捉できるようにする。
【００１６】
本発明のさらに有利な実施形態は、以下のように述べられる：
【００１７】
特別な実施形態において、データ処理装置は、選択可能な期間の間に測定データが連続的に得られるという利点を可能にするように、選択可能な期間内で連続データ収集するためにプログラムされている。別の実施形態において、データ取得装置は内部クロックをさらに含む。これにより、エネルギーを節約するために、たとえば日中４時間のみのデータ捕捉、あるいは夜間４から８時間の睡眠時間を除外するなど、データ捕捉の時点が一日のサイクルと同期できるという利点が達成可能である。
【００１８】
さらなる実施形態において、データ処理装置は、最低４時間、好ましくは最低６時間の評価間隔を用いて、統計データを計算するようにプログラムされている。
【００１９】
さらなる実施形態において、データ処理装置は、最大４８時間、好ましくは最大２４時間の評価間隔を用いて統計データを計算するようにプログラムされている。評価間隔の上記範囲のため、送信されるデータは最小限に抑えられる。
【００２０】
さらなる実施形態において、データ処理装置は、選択可能な評価間隔で統計データを自動的に計算するようにプログラムされている。
【００２１】
別の実施形態において、ハウジングは、生体適合性であるが生物分解不可能な金属またはポリマー材料、好ましくはポリエーテルエーテルケトン（ＰＥＥＫ）またはポリエーテルケトンケトン（ＰＥＫＫ）で作られている。
【００２２】
別の実施形態において、データ送信装置は、好ましくはＢｌｕｅｔｏｏｔｈ、ＲＦＩＤ、またはＮＦＣなど、無線技術規格に基づく無線データ送信機として構成されている。ＢｌｕｅｔｏｏｔｈまたはＮＦＣ規格が使用される場合、外部データ受信機は、市販のスマートフォンであってもよい。既知の装置とは対照的に、無線インターネット接続を含む患者の個人用スマートフォンが使用可能なので、専用の通信システムは不要である。
【００２３】
再び別の実施形態において、データ送信装置は、外部データ受信機によってデータメモリに記憶された選択データを送信するように作動可能である。
【００２４】
さらなる実施形態において、データ処理装置は外部データ受信機を介してプログラム可能である。
【００２５】
さらなる実施形態において、データ取得装置は電源をさらに備える。好ましくは、電源は電池、蓄電池、キャパシタ、または燃料電池のうちの１つである。蓄電池は、外部誘導電源を用いて誘導によって充電可能である。キャパシタは、たとえばいわゆるスーパーキャパシタすなわち電気二重層キャパシタ（ＥＤＬＣ）または「ゴールドキャパシタ」であってもよい。
【００２６】
再びさらなる実施形態において、蓄電池は、誘導によって、または環境発電によって、好ましくは患者の身体からの熱エネルギーまたは患者の身体運動からの運動エネルギーを引き出すことによって、充電可能である。
【００２７】
別の実施形態において、インプラントにハウジングを解放可能に固定させる手段は、ハウジングと一体のまたはこれに結合された、少なくとも１つの固定タブを備える。これにより、ハウジングがデータ処理装置、データメモリ、およびデータ送信装置の気密封止を備えることができるように、固定タブはネジ穴を含むことができるという利点が達成可能である。
【００２８】
別の実施形態において、少なくとも１つの固定タブは貫通孔を備える。
【００２９】
さらなる実施形態において、少なくとも１つの固定タブは、締結具を受けるための複数の貫通孔を備える。この構成は、異なる貫通孔構成が異なる孔パターンを有する異なるインプラントファミリーに役立つという利点を可能にする。
【００３０】
再び別の実施形態において、ハウジングは、第１の末端、第２の末端、２つの長側面、上面、およびインプラントの表面と接触するのに適した下面を有する楕円形の形状を有し、ハウジングは、インプラントとの接触を確立するために下面から突起して、長側面まで横方向に延在する、少なくとも１つのリッジをさらに備える。これにより、ハウジングをインプラントに締結することによって、予張力がハウジングおよびセンサに印加され、これにより記録信号の品質を向上させるという利点が達成可能である。
【００３１】
さらなる実施形態において、インプラントにハウジングを解放可能に固定させる手段は、少なくとも１つの締結具または少なくとも１つのクランプを備える。
【００３２】
さらなる実施形態において、少なくとも１つのクランプは、ハウジングと一体になっている。
【００３３】
別の実施形態において、インプラントにハウジングを解放可能に固定させる手段は雄ネジを備える。こうしてハウジングは、髄内釘用のエンドキャップとして構成可能であり、エンドキャップは、髄内釘の後部の雌ネジと螺合するのに適した雄ネジが設けられた部分を備える。
【００３４】
別の実施形態において、少なくとも１つのセンサは以下の物理量、すなわちインプラントにかかる負荷、インプラント内のひずみ、およびインプラント部品の相対変位、のうちの少なくとも１つに関する測定データを取得するのに適している。
【００３５】
さらなる実施形態において、少なくとも１つのセンサは、以下の群の測定プローブ、すなわちインダクタンス計、容量計、増分計ひずみゲージ、特に抵抗ひずみゲージ、ロードセル、圧電圧力センサ、加速度計、ジャイロスコープ、ゴニオメータ、磁力計、温度センサ、から選択される。温度センサはたとえば、患者の体内の感染症を特定するために使用可能である。
【００３６】
再びさらなる実施形態において、データ取得装置は、イベント警告用のブザーまたはバイブレータをさらに備える。ブザーまたはバイブレータは、リアルタイム過負荷警告装置として使用可能である。
【００３７】
別の実施形態において、データ取得装置はアクチュエータ、好ましくはディストラクタまたはリトラクタを、さらに備える。
【００３８】
別の実施形態において、アクチュエータは、圧電アクチュエータ、モータ、および熱発生器のうちの１つである。熱発生器はたとえば、形状記憶効果をトリガするために使用可能である。
【００３９】
別の実施形態において、インプラントは、骨に取り付け可能であり、好ましくは骨締結具を受けるのに適した少なくとも１つのネジ穴を備える。これにより、骨プレートの選択可能なプレート穴の中にネジが固定可能となるように、データ取得装置全体が骨プレートに沿った所望の位置でたとえば骨プレートに取り付け可能であるという利点が達成可能である。
【００４０】
さらなる実施形態において、キットは、インプラントのネジ穴内に固定され、インプラントにハウジングを解放可能に固定するための締結具を受けるのに適している、少なくとも１つのアダプタをさらに備える。
【００４１】
さらなる実施形態において、アダプタは、締結具を螺合可能に受けるための雌ネジを備える。
【００４２】
再びさらなる実施形態において、インプラントは骨プレートである。
【００４３】
別の実施形態において、１つ以上のセンサはハウジング内に封入されている。
【００４４】
別の実施形態において、１つ以上のセンサはハウジングの内壁に取り付けられている。
【００４５】
さらなる実施形態において、インプラントは、釘先端、釘末端、および釘末端において開放している中央カニューレを有する髄内釘である。
【００４６】
さらなる実施形態において、ハウジングは、髄内釘の釘末端に解放可能に固定可能なエンドキャップとして構成されている。
【００４７】
別の実施形態において、１つ以上のセンサは、髄内釘の中央カニューレ内に位置決め可能であり、好ましくは配線を介してデータ取得装置と電気的に接続されている。
【００４８】
別の実施形態において、１つ以上のセンサは、髄内釘の中央カニューレとのプレス嵌めを形成する形状および寸法になっている。
【００４９】
方法の特別な実施形態において、ステップＢ）でのリアルタイム処理は、異なる感度閾値を有する１つまたはいくつかのリアルタイム最小−最大検出器およびそれぞれのピークカウンタを採用することで実行される。
【００５０】
方法のさらなる実施形態において、ステップＣ）で計算される統計データは、ステップＢ）で得られた処理データに基づくリアルタイムの最大値および最小値の合計ならびにピーク数を含む。
【００５１】
方法のさらなる実施形態において、ステップＤ）で、統計データは、一日のサイクルにわたる所定の時点でまたは手動要求で、自動的にデータメモリ内に記憶される。
【００５２】
方法の別の実施形態において、ステップＡ）で、測定データは選択可能な期間の間、好ましくは１０から３０Ｈｚのサンプリング周波数で、連続的に収集される。
【００５３】
データ取得はエネルギーを節約するために、たとえば夜間４から８時間など患者が眠っているときに中断してもよい。
【００５４】
データの連続記録はさらに、活動ヒストグラムを生成するようにたとえば時間あたりの歩数および歩行の強度分布など、患者の活動を決定できるようにする。これにより、患者への積極的な影響の行使を可能にするように、医師および患者のために骨折のひずみに関する局所的フィードバックが得られる。
【００５５】
方法のさらなる実施形態において、ステップＣ）で、統計データは最低４時間、好ましくは最低６時間の評価間隔を用いて計算される。
【００５６】
方法のさらなる実施形態において、ステップＣ）で、統計データは最大４８時間、好ましくは最大２４時間の評価間隔を用いて計算される。
【００５７】
再び方法のさらなる実施形態において、ステップＣ）で、統計データは選択可能な評価間隔で自動的に計算される。
【００５８】
方法の別の実施形態において、ステップＥ）で、選択データを照会およびダウンロードする期間はユーザによって自由に選択可能である。これにより、患者がいつでもデータを照会およびダウンロードすることができ、しかも数週間データの照会をしなくてもデータを喪失しないという利点が達成可能である。データの照会は、たとえば週に一度スマートフォンの自動リンク取得を通じて、受動的に実行されてもよい。これにより、患者は診療所から独立する。
【００５９】
方法の別の実施形態において、外部データ受信機は、データ取得装置からデータを照会およびダウンロードするように適切にプログラムされたスマートフォンである。スマートフォンの使用は、外部データ受信機すなわちスマートフォンが、外部コンピュータにデータを送信するための無線インターネット接続を備えるという利点を可能にする。
【００６０】
方法の別の実施形態において、外部コンピュータは、データ収集用データベースを有するウェブサーバとして構成されている。
【００６１】
さらなる実施形態において、方法はステップＡ）の前に較正手順をさらに備え、較正手順は：ｉ）患者を秤または歩行板の上に立たせるステップと、ｉｉ）秤または歩行板に印加される負荷を記録するステップと、ｉｉｉ）センサの実出力を読み出すステップと、ｉｖ）ステップｉｉ）で記録された負荷およびステップｉｉｉ）で読み出されたセンサの実出力を用いて線形較正係数を計算するステップと、ｖ）線形較正係数を記憶するステップとを備える。較正手順は、絶対値でのセンサデータの解釈に必要である。センサ出力は、インプラント上のセンサの位置、インプラントのネジ構成、インプラントのタイプ、インプラント材料などによって変化する。
【００６２】
具体的には、本発明によるキットから組み立てられた医療装置は、骨接合における骨治癒の監視および／または制御に使用可能である。
【００６３】
あるいは、または付加的に、本発明によるキットから組み立てられた医療装置は、骨延長インプラントを監視および／または制御するために使用可能である。
【００６４】
本発明によるキットから組み立てられた医療装置の別の用途は、本発明による方法を実行するための遠隔測定インプラントシステム内への適用であり、遠隔測定インプラントシステムは、外部データ受信機および外部コンピュータをさらに備えてもよい。
【００６５】
好ましくは、外部データ受信機は無線インターネット接続を備える。さらに、外部データ受信機はスマートフォンであってもよく、外部コンピュータは好ましくは、データ収集用データベースおよび個人化データアクセスを有するウェブサーバとして構成される。
【００６６】
以下、本発明の特別な実施形態は、例示を用いて以下の添付図面を参照して、説明される。
【図面の簡単な説明】
【００６７】
【図１】本発明によるキットの一実施形態から組み立てられた例示的な医療装置の斜視図である。
【図２】図１による例示的な医療装置の斜視図である。
【図３】図１および図２による医療装置の一部である医療用インプラントの監視および／または制御用の遠隔測定インプラントシステムの概略図である。
【図４】本発明によるキットの一実施形態から組み立てられたさらなる例示的な医療装置の斜視図である。
【図５】本発明によるキットの一実施形態から組み立てられた別の例示的な医療装置の斜視図である。
【図６】本発明によるキットの一実施形態から組み立てられた医療装置のさらに別の実施形態の斜視図である。
【発明を実施するための形態】
【００６８】
図１および図２は、本発明によるキットの一実施形態から組み立てられた医療装置３０を示し、組み立てられた医療装置３０は、これに限定するものではないが例示的に骨プレートとして構成されたインプラント１００と、インプラント１００に対して作用する１つ以上の物理量に関する測定データの取得用のセンサ５を含むデータ取得装置１と、を備える。
【００６９】
データ取得装置１は、患者の体内に埋め込み可能であり、基本的にセンサ５、センサ５と電気的に接続可能な電子データ処理装置２、データメモリ１６、データ送信装置４、および生体適合性除菌可能ハウジング９を含む。これに限定するものではないが例示的に、データ取得装置１は、一日のサイクルにデータ捕捉の時点を同期させるためのクロックをさらに含む。データメモリ１６は、データ処理装置２と電気的に接続されており、データ処理装置２から受信したデータを記憶するのに適しており、データ送信装置４はデータメモリ１６と電気的に接続されている。図１に示される実施形態において、ハウジング９は、少なくともセンサ５、データ処理装置２、データメモリ１６、およびデータ送信装置４を封入するように構成されている。さらに、ハウジング９は、ハウジング９をインプラント１００に解放可能に固定させる手段１０を備える。好ましくは、ハウジング９は生体適合性であるが生物分解不可能な金属またはポリマー材料、好ましくはポリエーテルエーテルケトン（ＰＥＥＫ）またはポリエーテルケトンケトン（ＰＥＫＫ）で作られている。さらに、ハウジング９は、第１および第２の末端１８、１９を有する楕円形の形状を有しており、ハウジング９はインプラント１００、すなわち骨プレートに、ハウジング９の２つの長側面２２ａ、２２ｂをインプラント１００の縦軸１０３に沿って延在させた状態で取り付けられている。
【００７０】
図１に示されるように、ハウジング９をインプラント１００に解放可能に固定させる手段１０は、これに限定するものではないが例示的に、ハウジング９と一体であってもよい２つの固定タブ１１を備え、固定タブ１１の各々は第１および第２の末端１８、１９のうちの１つに配置されている。あるいは、固定タブ１１は、ハウジング９に結合された個別の部品であってもよい。固定タブ１１の各々は、ハウジング９をインプラント１００に解放可能に固定させるために、たとえばネジの形態の締結具１３を受けるための貫通孔１２を含む。この構成のため、ハウジング９は、センサ５、データ処理装置２、データメモリ１６、およびデータ送信装置４の気密封止として構成可能である。図１および図２に示される本発明によるキットの一実施形態から組み立てられた医療装置３０のインプラント１００は、骨プレートを骨に取り付けるために骨ネジを受けるためのいくつかのネジ穴１０１を備える骨プレートである。
【００７１】
さらに、医療用インプラント１００は、ハウジング９に配置された固定タブ１１内の貫通孔１２と整列されたインプラント１００のネジ穴１０１内に挿入される、少なくとも１つのアダプタ１４を備える。アダプタ１４は基本的に中空の円筒形状を有し、各アダプタ１４は、たとえばプレス嵌めまたは螺合によって、インプラント１００のネジ穴１０１のうちの１つの中に固定されるように構成されている。これに限定するものではないが例示的に、各アダプタ１４は、ハウジング９をインプラント１００、すなわち骨プレートに解放可能に固定させるように締結具１３と螺合するための雌ネジを備える。
【００７２】
完全なデータ取得装置１を備えるハウジング９は、骨プレートに沿った所望の位置でインプラント１００，すなわち骨プレートに取り付け可能である。アダプタ１４は、ハウジング９をインプラント１００に固定させるための締結具１３が、インプラント１００を骨に締結するためには使用されない骨プレートの選択可能なプレート穴の中に固定可能なように、インプラント１００の選択可能なネジ穴１０１の中に挿入可能である。これに限定するものではないが例示的に、データ取得装置２は、無線技術規格、好ましくはＢｌｕｅｔｏｏｔｈまたはＮＦＣに基づく無線データ送信機として構成された、データ送信装置４を含む。ＢｌｕｅｔｏｏｔｈまたはＮＦＣ規格が使用される場合、外部データ受信機６は、図３に示されるように市販のスマートフォンであってもよい。
【００７３】
あるいは、プロセスは外部から誘導によって供給されるので、内部エネルギーが必要でない無線周波数識別装置（ＲＦＩＤ）が使用されてもよい。ＲＦＩＤによって送信される典型的なデータ量は、数バイトから１ｋＢの範囲である。さらに、トランスポンダに必要な空間は最小限であり、送信プロセスは高速で簡単である。
【００７４】
さらに、データ送信装置４は、データメモリ１６内に記憶された選択データを送信するために外部データ受信機６によって作動されることが可能であり、データ処理装置２は外部データ受信機６を介してプログラム可能である。
【００７５】
データ取得装置１は、電池、蓄電池、キャパシタ、または燃料電池であってもよい電源３をさらに備え、蓄電池はたとえば、外部誘導電源を用いて誘導によって充電されるように構成されてもよい。あるいは蓄電池は環境発電によって、たとえば患者の身体から熱エネルギーを、または患者の身体運動から運動エネルギーを引き出すことによって、充電可能に構成されてもよい。
【００７６】
図１に示されるように、データ取得装置１はセンサ５を備え、このセンサは、これに限定するものではないが例示的に、インプラント１００に印加される負荷および／またはインプラントのひずみに関する測定データを取得するのに適している。この場合、センサ５はひずみゲージ、具体的には生体適合性ハウジング９の内壁に取り付け可能、たとえば接着可能な、抵抗線ひずみゲージであってもよい。
【００７７】
医療用インプラントの用途に応じて、たとえばインダクタンス計、増分計、容量計、ロードセル、圧電圧力センサ、
加速度計、ジャイロスコープ、ゴニオメータ、磁力計、温度センサなど、他のタイプのセンサ５が使用されてもよい。
【００７８】
図２に示されるように、ハウジング９は、第１の末端１８、第２の末端１９、２つの長側面２２ａ、２２ｂ、上面２０、および下面２１を有する楕円形の形状を有しており、ハウジング９は、ハウジング９の２つの長側面２２ａ、２２ｂをインプラント１００の縦軸１０３の方向に延在させた状態で、インプラント１００、すなわち骨プレートに取り付けられている。これに限定するものではないが例示的に、ハウジング９は、下面２１から突起して長側面２２ａ、２２ｂまで横方向に延在する、１つのリッジ１７をさらに備える。リッジ１７は、インプラント１００の上面と接触しており、これに限定するものではないが例示的に、第１および第２の末端１８、１９の間でハウジング９の中央に配置されている。ハウジング９をインプラント１００に締結することにより、第１および第２の末端１８、１９はインプラント１００の上面に対して押圧され、リッジ１７によってハウジング９およびセンサ５に印加される予張力を生じる。ひずみゲージとしてのセンサ５の特定の構成において、わずかな伸長の場合であっても記録信号の品質が向上する。
【００７９】
加えて、データ取得装置１は、たとえばリアルタイム過負荷警告装置として使用されるイベント警告のためのブザーまたはバイブレータを備えてもよい。さらに、データ取得装置１は、これに限定するものではないが例示的にディストラクタまたはリトラクタなど、アクチュエータを備えてもよい。アクチュエータは、圧電アクチュエータ、モータ、および熱発生器のうちの１つであってもよく、熱発生器はたとえば記憶合金で作られたインプラントの形状記憶効果をトリガするために使用可能である。
【００８０】
データ処理装置２は、データメモリ１６から取り出された測定データに基づいて統計データを計算し、統計データをデータメモリ１６内に記憶させるように、特にプログラムされている。インプラント１００を監視および／または制御するためにデータ取得装置２を使用するため、データ処理装置２によって計算された統計データは、これに限定するものではないが例示的に、測定値の合計、測定値の数、平均値、最小値、および最大値を備える。
【００８１】
さらに、データ処理装置２は選択可能な期間内での連続データ収集のためにプログラムされている。日中に最大４時間のデータ捕捉までエネルギーを節約する、または夜間にたとえば４から８時間の睡眠時間を除外する、異なるモードがあってもよい。必要とされる統計データは、これに限定するものではないが例示的に４時間から２４時間の間の選択可能な平均間隔を用いて、データ処理装置２によって計算される。好ましくは、データ処理装置２は、選択された平均間隔で統計データを自動的に計算するようにプログラムされている。
【００８２】
図３は、図１の医療装置３０、外部データ受信機６、および外部コンピュータ１５を含む遠隔測定インプラントシステムを示しており、図３のシステムは、本発明による方法の一実施形態を実行することによって医療装置３０のインプラント１００を監視および／または制御するように構成されている。これに限定するものではないが例示的に、外部データ受信機６は無線インターネット接続を備えるスマートフォンであり、外部コンピュータ１５はデータ収集用データベースおよび個人化データアクセスを有するウェブサーバとして構成されている。図３の遠隔測定インプラントシステムは、遠隔の場所で測定データの連続取得、および中央集中データベースを提供するために測定データに関するデータの外部コンピュータ１５への送信を可能にする。
【００８３】
インプラント１００を監視および／または制御する方法の好適な実施形態は、以下のステップを備える：Ａ）センサ５によって測定データを取得するステップと、Ｂ）たとえば異なる感度閾値を有する１つまたはいくつかのリアルタイム最小−最大検出器およびそれぞれのピークカウンタを採用することによって、ステップＡ）で取得された測定データに対してリアルタイム処理を実行するステップと、Ｃ）ステップＢ）での処理データに基づいて、最大値および最小値の合計ならびにピーク数などの統計パラメータをリアルタイムで計算するステップと、Ｄ）一日のサイクルにわたる所定の時点でまたは手動要求で、統計パラメータをデータメモリ１６内に自動的に記憶させるステップと、Ｅ）外部データ受信機６によってデータメモリ１６内に記憶された選択データを照会およびダウンロードするステップと、Ｆ）さらなるデータ管理および処理のため、ダウンロードされた選択データを外部データ受信機６から外部コンピュータ１５に送信するステップ。患者データは、これに限定するものではないが例示的に、データの解釈を改善するための統計基準グラフを効率的に作成するため、中央コンピュータ１５内で記録および解析されてもよい。たとえば時間あたりの歩数および歩行の強度分布など、患者の活動の決定を対象とする場合、連続的に記録されたデータに基づいて活動ヒストグラムが生成されてもよい。これにより、患者への積極的な影響の行使を可能にするように、医師および患者のために骨折のひずみに関する局所的フィードバックが得られる。このためステップＡ）において、測定データは好ましくは選択可能な期間の間、好ましくは１０から３０Ｈｚのサンプリング周波数で、連続的に収集される。
【００８４】
データ処理装置２によって必要とされる統計データを計算するための４時間から２４時間の間の選択された評価間隔のため、データ送信装置４を介して外部データ受信機６に送信されるデータは著しく減少する可能性がある。これにより、少なくとも４ヶ月の間、データ取得装置１の自律動作が実現可能となるように、通常はデータ取得装置２のエネルギー消費量の大部分であるデータ送信のエネルギー要求が削減される。
【００８５】
患者はいつでもデータを照会およびダウンロードすることができ、しかも数週間データの照会をしなくてもデータを喪失しない。外部データ受信機６は、データ取得装置１からデータを照会およびダウンロードするように適切にプログラムされたスマートフォンであってもよい。データの照会は、患者が診療所から独立できるように、たとえば週に一度スマートフォンの自動リンク取得を通じて、受動的に実行されてもよい。したがって、ステップＥ）において、選択データを照会およびダウンロードする期間はユーザによって自由に選択可能である。
【００８６】
これに限定するものではないが例示的に、外部データ処理は以下のように実行可能である：
データは、外部コンピュータ上にダウンロードおよび記憶されるか、またはたとえばスマートフォンなどのデータ受信装置６内で直接処理されてもよい。センサ応答の合計は、所定のまたは患者固有の倍率を利用した線形アプローチを用いて、実際の単位に較正される。先の時点の値を現在の値から減じると、現在の期間に関する情報が求められる。サンプル数をサンプル周波数で割ると、実行時間がわかる。ピーク検出からの累積振幅を生理的負荷サイクル数で割ったものは、負荷サイクルあたりのセンサ応答の測定値を表す。
【００８７】
結果の意味および提示：
言及された評価は、時間に対する測定値および処理値を絶対的または相対的にプロットすることによって視覚化されてもよい（センサ応答をセンサの初期の術後応答に合わせて正規化する）。たとえば、治癒プロセスは、時間に対するピークバレー検出からの平均振幅を減少させて視覚化されてもよい。閾値は、インプラント除去に最適な時点を決定するように設定可能である。初期段階で変形治癒が確認されるかもしれず、異なるダイナミゼーションプロトコールが評価されてもよい。多数のピークバレー検出器から取得された異なる強度の生理的負荷サイクル数の進行は、時間に対する患者の活動に関する情報、ひいては骨の刺激に関する情報を、提供する。延長インプラントを監視するため、現在のセンサ値は、延長プロセスの進行に関する貴重な情報を提供する。
【００８８】
図４は、本発明によるキットの別の実施形態のデータ取得装置１のハウジング９を示しているが、図４のハウジング９は、上記実装済みセンサ５に改良された機械的状態を提供するために（４点曲げの場合に見られるように）両方のリッジ１７との間に一定の曲げモーメントを発生させるための２つの平行なリッジ１７を備える点、ならびにハウジング９の第１および第２の末端１８、１９に配置された貫通孔１２が孔の組合せとして構成されている点のみにおいて、図１から図３の実施形態のハウジング９と異なっている。２つのリッジ１７は下面２１から突起しており、ハウジング９の長側面２２ａ、２２ｂまで横方向に延在している。これに限定するものではないが例示的に、貫通孔１２は、様々なインプラント上にハウジング９の固定を可能にするためにクローバーの葉のような断面領域を形成するように、３つの重複するボアホールを備える。
【００８９】
図５には、本発明によるキットの別の実施形態のデータ取得装置１が示されているが、図１のデータ取得装置１は、データ取得装置１が骨プレートすなわちインプラント１００の一端に配置可能なようにハウジング９が階段構成を有するという点のみにおいて、図１から図３の実施形態のデータ取得装置１と異なっている。この階段構成のため、ハウジング９は、たとえば止め骨ネジを使用する場合など、インプラント１００の端子ネジ穴１０１がハウジング９をインプラント１００に固定させるために使用できない場合、骨プレートすなわちインプラント１００の端面に対して押圧されることが可能なショルダを形成する、陥凹を有する。これに加えて、第１の末端１８の範囲内のハウジング９の第１の部分はインプラント１００の上面の上に突起する高さが低く、第２の末端１９の範囲内のハウジング９の第２の部分は、第１の部分およびインプラント１００の高さの合計と一致する、より大きい高さを有する。ハウジング９の第２の部分は、インプラント１００の末端から延在し、これに限定するものではないが例示的に、データ処理装置２、データ送信装置４、データメモリ１６、および電源３を封入する。センサ５は、インプラント１００の末端部を覆うハウジング９の第１の部分に配置されている。さらに、貫通孔１２は、上述のように締結具１３がインプラント１００のネジ穴１０１の中に挿入可能なように、ハウジング９の第１の部分に配置されている。好ましくは、インプラント１００の端子ネジ穴１０１は、骨ネジ（図示せず）の挿入のために使用される。これに加えて、ハウジング９の第１の部分は、第１の部分を貫通する開口を備える。
【００９０】
図６は、本発明によるキットの別の実施形態から組み立てられた医療装置３０を示すが、これはインプラント１００が、釘先端、釘末端１０４、髄内釘すなわちインプラント１００の後部にある横孔１０５、および釘末端１０４で開放している中央カニューレ１０２を有する、髄内釘である点のみにおいて、図１から図５の実施形態と異なっている。ハウジング９は、髄内釘の釘末端１０４と解放可能に固定可能な、エンドキャップとして構成されている。
【００９１】
これに限定するものではないが例示的に、インプラント１００にハウジング９を解放可能に固定させる手段１０は、髄内釘の後部に雌ネジを螺号させるように、エンドキャップの前部に雄ネジを備える。センサ５は、髄内釘の中央カニューレ１０２内の執刀医が選択した位置に位置決め可能であり、センサ５と中央カニューレ１０２との間でプレス嵌めによりインプラント１００に固定される。さらに、センサ５は、配線を介してデータ取得装置１と電気的に接続される。これに限定するものではないが例示的に、髄内釘すなわちインプラント１００は、配線７と止めネジまたはヒップスクリューとの間の干渉を防止するため止めネジまたはヒップスクリューが横孔１０５内に挿入されたときに配線７を受けるように、横孔１０５の周壁に入り込む溝１０６を備える。
【００９２】
本発明による医療装置の用途例は以下の通りである：
１）二次治癒の原理に従った骨接合における骨治癒の監視。ひずみゲージによって測定された標準的な骨プレートまたは髄内釘のひずみは、データ取得装置１を用いて取得および処理されることが可能である。ひずみの減少は、骨の負荷分担の強化および骨強化の進行として解釈されることが可能である。治癒の進行に関する知識は、早い段階で変形治癒を検出するため、またはインプラント除去の最適な時点を決定するための、貴重な情報である。
骨の機械的刺激は、骨形成を促進するものとして知られている。新たに提案された動的インプラントのダイナミゼーションおよびその進行を経時的に監視するためのツールもまた、データ取得装置１の応用分野である。既知の技術によって行われていたような短期測定の繰り返しではなく、これはむしろ長期データを取得する機会を提供する。
【００９３】
２）延長インプラントの監視。骨を延長する方法は、重大なサイズ欠損または骨延長のための新しい骨組織の生成に用いられる。最適化された骨生成について知るために、髄内延長釘のようなインプラントの正確な伸縮は不可欠である。データ取得装置１は、インプラントの現在の延長、ならびに時間に対する延長の進行も送信するために、使用可能である。
【００９４】
付加的なまたは代替の用途例は以下の通りである：
−  血糖およびインスリンの制御放出による拮抗作用の測定。血糖値は特定の期間にわたって監視および処理され、薬剤の送達を制御するために使用される。これは、体内の自律制御ループとして実現可能である。値はプロセスを制御するために外部受信機に転送されなければならない。
−  動脈内血液ガス監視（Ｏ２、ＣＯ２、血圧）
−  乳酸濃度
【００９５】
本発明はその具体的実施形態と併せて記載されてきたが、多くの代替例、修正例、および変形例が当業者の目に明らかとなることは、自明である。したがって、添付請求項の範囲に含まれるこのような代替例、修正例、および変形例のすべてを包含することが意図される。
【００９６】
明確さのため個別の実施形態の文脈で記載された本発明の特定の特徴が、単一の実施形態で組み合わせられてもよいことは、理解される。反対に、簡略化のため単一の実施形態の文脈で記載された本発明の様々な特徴は、個別に、またはいずれか適切なサブコンビネーションで、または本発明のその他の記載された実施形態において適宜に、提供されてもよい。様々な実施形態の文脈で記載された特定の特徴は、その要素がなければ実施形態が機能しない場合を除き、これらの実施形態に必須の特徴とは見なされない。
【図１】
2018522605.tif 000003
【図２】
2018522605.tif 000004
【図３】
2018522605.tif 000005
【図４】
2018522605.tif 000006
【図５】
2018522605.tif 000007
【図６】
2018522605.tif 000008
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
データ取得装置（１）が設けられた移植可能な医療装置（３０）を組み立てるためのキットであり、キットは、
医療用インプラント（１００）と、
データ取得装置（１）であって、
１つ以上のセンサ（５）と、
１つ以上のセンサ（５）と電気的に接続可能または接続された電子データ処理装置（２）と、
電子データ処理装置（２）と電気的に接続され、データ処理装置（２）から受信したデータを記憶するのに適したデータメモリ（１６）と、
データメモリ（１６）と電気的に接続されたデータ送信装置（４）と、を備え、
データ取得装置（１）は、少なくともデータ処理装置（２）、データメモリ（１６）、およびデータ送信装置（４）を封入する生体適合性除菌可能ハウジング（９）をさらに備え、
ハウジング（９）は、ハウジング（９）をインプラント（１００）に解放可能に固定させる手段（１０）を備える、データ取得装置（１）と、
を備えるキットであって、
データ処理装置（２）は、１つ以上のセンサ（５）から受信した測定データに基づいて統計データを計算し、統計データをデータメモリ（１６）内に記憶させるように、プログラムされており、
１つ以上のセンサ（５）はハウジング（９）内に配置されているか、または
１つ以上のセンサ（５）は選択可能な位置でインプラント（１００）に個別に固定可能であることを特徴とする、キット。
【請求項２】
データ処理装置（２）は選択可能な期間内での連続データ収集のためにプログラムされている、請求項１に記載のキット。
【請求項３】
データ取得装置（１）は内部クロックをさらに含む、請求項１または２に記載のキット。
【請求項４】
データ処理装置（２）は、最低４時間、好ましくは最低６時間の評価間隔を用いて、統計データを計算するようにプログラムされている、請求項１から３のいずれか一項に記載のキット。
【請求項５】
データ処理装置（２）は、最大４８時間、好ましくは最大２４時間の評価間隔を用いて統計データを計算するようにプログラムされている、請求項１から４のいずれか一項に記載のキット。
【請求項６】
データ処理装置（２）は、選択可能な評価間隔で統計データを自動的に計算するようにプログラムされている、請求項４または５に記載のキット。
【請求項７】
ハウジング（９）は、生体適合性であるが生物分解不可能な金属またはポリマー材料、好ましくはポリエーテルエーテルケトン（ＰＥＥＫ）またはポリエーテルケトンケトン（ＰＥＫＫ）で作られている、請求項１から６のいずれか一項に記載のキット。
【請求項８】
データ送信装置（４）は、好ましくはＢｌｕｅｔｏｏｔｈ、ＲＦＩＤ、またはＮＦＣなど、無線技術規格に基づく無線データ送信機として構成されている、請求項１から７のいずれか一項に記載のキット。
【請求項９】
データ送信装置（４）は、外部データ受信機（６）によってデータメモリ（１６）に記憶された選択データを送信するように作動可能である、請求項１から８のいずれか一項に記載のキット。
【請求項１０】
データ処理装置（２）は外部データ受信機（６）を介してプログラム可能である、請求項１から９のいずれか一項に記載のキット。
【請求項１１】
データ取得装置（１）は電源（３）をさらに備える、請求項１から１０のいずれか一項に記載のキット。
【請求項１２】
電源（３）は電池、蓄電池、キャパシタ、または燃料電池のうちの１つである、請求項１１に記載のキット。
【請求項１３】
蓄電池は、誘導によって、または環境発電によって、好ましくは患者の身体からの熱エネルギーまたは患者の身体運動からの運動エネルギーを引き出すことによって、充電可能である、請求項１２に記載のキット。
【請求項１４】
インプラント（１００）にハウジング（９）を解放可能に固定させる手段（１０）は、ハウジング（９）と一体のまたはこれに結合された、少なくとも１つの固定タブ（１１）を備える、請求項１から１３のいずれか一項に記載のキット。
【請求項１５】
少なくとも１つの固定タブ（１１）は貫通孔（１２）を備える、請求項１４に記載のキット。
【請求項１６】
少なくとも１つの固定タブ（１１）は、締結具を受けるための複数の貫通孔（１２）を備える、請求項１４に記載のキット。
【請求項１７】
ハウジング（９）は、第１の末端（１８）、第２の末端（１９）、２つの長側面（２２ａ、２２ｂ）、上面（２０）、およびインプラント（１００）の表面と接触するのに適した下面（２１）を有する楕円形の形状を有し、ハウジング（９）は、インプラント（１００）との接触を確立するために下面（２１）から突起して、長側面（２２ａ、２２ｂ）まで横方向に延在する、少なくとも１つのリッジ（１７）をさらに備える、請求項１から１６のいずれか一項に記載のキット。
【請求項１８】
インプラント（１００）にハウジング（９）を解放可能に固定させる手段は、少なくとも１つの締結具（１３）または少なくとも１つのクランプを備える、請求項１から１７のいずれか一項に記載のキット。
【請求項１９】
少なくとも１つのクランプは、ハウジング（９）と一体になっている、請求項１８に記載のキット。
【請求項２０】
インプラント（１００）にハウジング（９）を解放可能に固定させる手段（１０）は雄ネジを備える、請求項１から１９のいずれか一項に記載のキット。
【請求項２１】
少なくとも１つのセンサ（５）は、以下の物理量、すなわちインプラント（１００）にかかる負荷、インプラント（１００）内のひずみ、およびインプラント部品の相対変位、のうちの少なくとも１つに関する測定データを取得するのに適している、請求項１から２０のいずれか一項に記載のキット。
【請求項２２】
少なくとも１つのセンサ（５）は、以下の群の測定プローブ、すなわちインダクタンス計、容量計、増分計ひずみゲージ、特に抵抗ひずみゲージ、ロードセル、圧電圧力センサ、加速度計、ジャイロスコープ、ゴニオメータ、磁力計、温度センサ、から選択される、請求項１から２１のいずれか一項に記載のキット。
【請求項２３】
イベント警告用のブザーまたはバイブレータをさらに備える、請求項１から２２のいずれか一項に記載のキット。
【請求項２４】
アクチュエータ、好ましくはディストラクタまたはリトラクタをさらに備える、請求項１から２３のいずれか一項に記載のキット。
【請求項２５】
アクチュエータは、圧電アクチュエータ、モータ、および熱発生器のうちの１つである、請求項２４に記載のキット。
【請求項２６】
インプラント（１００）は、骨に取り付け可能であり、好ましくは骨締結具を受けるのに適した少なくとも１つのネジ穴（１０１）を備える、請求項１から２５のいずれか一項に記載のキット。
【請求項２７】
インプラント（１００）のネジ穴（１０１）内に固定され、インプラント（１００）にハウジング（９）を解放可能に固定するための締結具（１３）を受けるのに適している、少なくとも１つのアダプタ（１４）をさらに備える、請求項２６に記載のキット。
【請求項２８】
アダプタ（１４）は、締結具（１３）を螺合可能に受けるための雌ネジを備える、請求項２４に記載のキット。
【請求項２９】
インプラント（１００）は骨プレートである、請求項１から２８のいずれか一項に記載のキット。
【請求項３０】
１つ以上のセンサ（５）はハウジング（９）内に封入されている、請求項１から２９のいずれか一項に記載のキット。
【請求項３１】
１つ以上のセンサ（５）はハウジング（９）の内壁に取り付けられている、請求項３０に記載のキット。
【請求項３２】
インプラント（１００）は、釘先端、釘末端（１０３）、および釘末端（１０３）において開放している中央カニューレ（１０２）を有する髄内釘である、請求項１から２８のいずれか一項に記載のキット。
【請求項３３】
ハウジング（９）は、髄内釘の釘末端（１０３）に解放可能に固定可能なエンドキャップとして構成されている、請求項３２に記載のキット。
【請求項３４】
１つ以上のセンサ（５）は、髄内釘の中央カニューレ（１０２）内に位置決め可能であり、好ましくは配線を介してデータ取得装置（１）と電気的に接続されている、請求項３２または３３に記載のキット。
【請求項３５】
１つ以上のセンサ（５）は、髄内釘の中央カニューレ（１０２）とのプレス嵌めを形成する形状および寸法になっている、請求項３２から３４のいずれか一項に記載のキット。
【請求項３６】
請求項１から３５のいずれか一項に記載のキットから組み立てられた医療装置（３０）の一部である医療用インプラント（１００）を監視および／または制御する方法であって、
Ａ）センサ（５）によって測定データを取得するステップと、
Ｂ）ステップＡ）で取得された測定データに対してデータ処理装置（２）によってリアルタイム処理を実行するステップと、
Ｃ）ステップＢ）での処理データに基づいて統計データを計算するステップと、
Ｄ）統計データをデータメモリ（１６）に記憶させるステップと、
Ｅ）外部データ受信機（６）によって、データメモリ（１６）内に記憶された選択データを照会およびダウンロードするステップと、
Ｆ）さらなるデータ管理および処理のため、ダウンロードされた選択データを外部データ受信機（６）からコンピュータ（１５）に送信するステップと、
を備える方法。
【請求項３７】
ステップＢ）でのリアルタイム処理は、異なる感度閾値を有する１つまたはいくつかのリアルタイム最小−最大検出器およびそれぞれのピークカウンタを採用することで実行される、請求項３６に記載の方法。
【請求項３８】
ステップＣ）で計算される統計データは、ステップＢ）で得られた処理データに基づくリアルタイムの最大値および最小値の合計ならびにピーク数を含む、請求項３６または３７に記載の方法。
【請求項３９】
ステップＤ）で、統計データは、一日のサイクルにわたる所定の時点でまたは手動要求で、自動的にデータメモリ（１６）内に記憶される、請求項３６から３８のいずれか一項に記載の方法。
【請求項４０】
ステップＡ）で、測定データは選択可能な期間の間、好ましくは１０から３０Ｈｚのサンプリング周波数で連続的に収集される、請求項３６から３９のいずれか一項に記載の方法。
【請求項４１】
ステップＣ）で、統計データは最低４時間、好ましくは最低６時間の評価間隔を用いて計算される、請求項３６から４０のいずれか一項に記載の方法。
【請求項４２】
ステップＣ）で、統計データは最大４８時間、好ましくは最大２４時間の評価間隔を用いて計算される、請求項３６から４１のいずれか一項に記載の方法。
【請求項４３】
ステップＣ）で、統計データは選択可能な評価間隔で自動的に計算される、請求項３６から４２のいずれか一項に記載の方法。
【請求項４４】
ステップＥ）で、選択データを照会およびダウンロードする期間はユーザによって自由に選択可能である、請求項３６から４３のいずれか一項に記載の方法。
【請求項４５】
外部データ受信機（６）は、データ取得装置（１）からデータを照会およびダウンロードするように適切にプログラムされたスマートフォンである、請求項３６から４４のいずれか一項に記載の方法。
【請求項４６】
外部コンピュータは、データ収集用データベースを有するウェブサーバとして構成されている、請求項３６から４５のいずれか一項に記載の方法。
【請求項４７】
ステップＡ）の前に較正手順をさらに備え、較正手順は、
ｉ）患者を秤または歩行板の上に立たせるステップと、
ｉｉ）秤または歩行板に印加される負荷を記録するステップと、
ｉｉｉ）センサ（５）の実出力を読み出すステップと、
ｉｖ）ステップｉｉ）で記録された負荷およびステップｉｉｉ）で読み出されたセンサ（５）の実出力を用いて線形較正係数を計算するステップと、
ｖ）線形較正係数を記憶するステップと、
を備える、請求項３６から４６のいずれか一項に記載の方法。
【請求項４８】
請求項３６から４７のいずれか一項に記載の方法を実行するための遠隔測定インプラントシステム内の、請求項１から３５のいずれか一項に記載のキットから組み立てられた医療装置（３０）の使用であって、遠隔測定インプラントシステムは、外部データ受信機（６）および外部コンピュータ（１５）をさらに備える、使用。
【請求項４９】
外部データ受信機（６）は無線インターネット接続を備える、請求項４８に記載の使用。
【請求項５０】
外部データ受信機（６）はスマートフォンである、請求項４８または４９に記載の使用。
【請求項５１】
外部コンピュータ（１５）は、データ収集用データベースおよび個人化データアクセスを有するウェブサーバとして構成される、請求項４８から５０のいずれか一項に記載の使用。
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
データ取得装置（１）が設けられた移植可能な医療装置（３０）を組み立てるためのキットであり、キットは、
医療用インプラント（１００）と、
データ取得装置（１）であって、
１つ以上のセンサ（５）と、
１つ以上のセンサ（５）と電気的に接続可能または接続された電子データ処理装置（２）と、
電子データ処理装置（２）と電気的に接続され、データ処理装置（２）から受信したデータを記憶するのに適したデータメモリ（１６）と、
データメモリ（１６）と電気的に接続されたデータ送信装置（４）と、を備え、
データ取得装置（１）は、少なくともデータ処理装置（２）、データメモリ（１６）、およびデータ送信装置（４）を封入する生体適合性除菌可能ハウジング（９）をさらに備え、
ハウジング（９）は、ハウジング（９）をインプラント（１００）に解放可能に固定させる手段（１０）を備える、データ取得装置（１）と、
を備えるキットであって、
データ処理装置（２）は、１つ以上のセンサ（５）から受信した測定データに基づいて統計データを計算し、統計データをデータメモリ（１６）内に記憶させるように、プログラムされており、
１つ以上のセンサ（５）はハウジング（９）内に配置されているか、または
１つ以上のセンサ（５）は選択可能な位置でインプラント（１００）に個別に固定可能であることを特徴とする、キット。
【請求項２】
データ処理装置（２）は選択可能な期間内での連続データ収集のためにプログラムされている、請求項１に記載のキット。
【請求項３】
データ取得装置（１）は内部クロックをさらに含む、請求項１または２に記載のキット。
【請求項４】
データ処理装置（２）は、最低４時間、好ましくは最低６時間の評価間隔を用いて、統計データを計算するようにプログラムされている、請求項１から３のいずれか一項に記載のキット。
【請求項５】
データ処理装置（２）は、最大４８時間、好ましくは最大２４時間の評価間隔を用いて統計データを計算するようにプログラムされている、請求項１から４のいずれか一項に記載のキット。
【請求項６】
データ処理装置（２）は、選択可能な評価間隔で統計データを自動的に計算するようにプログラムされている、請求項４または５に記載のキット。
【請求項７】
ハウジング（９）は、生体適合性であるが生物分解不可能な金属またはポリマー材料、好ましくはポリエーテルエーテルケトン（ＰＥＥＫ）またはポリエーテルケトンケトン（ＰＥＫＫ）で作られている、請求項１から６のいずれか一項に記載のキット。
【請求項８】
データ送信装置（４）は、好ましくはＢｌｕｅｔｏｏｔｈ、ＲＦＩＤ、またはＮＦＣなど、無線技術規格に基づく無線データ送信機として構成されている、請求項１から７のいずれか一項に記載のキット。
【請求項９】
データ送信装置（４）は、外部データ受信機（６）によってデータメモリ（１６）に記憶された選択データを送信するように作動可能である、請求項１から８のいずれか一項に記載のキット。
【請求項１０】
データ処理装置（２）は外部データ受信機（６）を介してプログラム可能である、請求項１から９のいずれか一項に記載のキット。
【請求項１１】
データ取得装置（１）は電源（３）をさらに備える、請求項１から１０のいずれか一項に記載のキット。
【請求項１２】
電源（３）は電池、蓄電池、キャパシタ、または燃料電池のうちの１つである、請求項１１に記載のキット。
【請求項１３】
蓄電池は、誘導によって、または環境発電によって、好ましくは患者の身体からの熱エネルギーまたは患者の身体運動からの運動エネルギーを引き出すことによって、充電可能である、請求項１２に記載のキット。
【請求項１４】
インプラント（１００）にハウジング（９）を解放可能に固定させる手段（１０）は、ハウジング（９）と一体のまたはこれに結合された、少なくとも１つの固定タブ（１１）を備える、請求項１から１３のいずれか一項に記載のキット。
【請求項１５】
少なくとも１つの固定タブ（１１）は貫通孔（１２）を備える、請求項１４に記載のキット。
【請求項１６】
少なくとも１つの固定タブ（１１）は、締結具を受けるための複数の貫通孔（１２）を備える、請求項１４に記載のキット。
【請求項１７】
ハウジング（９）は、第１の末端（１８）、第２の末端（１９）、２つの長側面（２２ａ、２２ｂ）、上面（２０）、およびインプラント（１００）の表面と接触するのに適した下面（２１）を有する楕円形の形状を有し、ハウジング（９）は、インプラント（１００）との接触を確立するために下面（２１）から突起して、長側面（２２ａ、２２ｂ）まで横方向に延在する、少なくとも１つのリッジ（１７）をさらに備える、請求項１から１６のいずれか一項に記載のキット。
【請求項１８】
インプラント（１００）にハウジング（９）を解放可能に固定させる手段は、少なくとも１つの締結具（１３）または少なくとも１つのクランプを備える、請求項１から１７のいずれか一項に記載のキット。
【請求項１９】
少なくとも１つのクランプは、ハウジング（９）と一体になっている、請求項１８に記載のキット。
【請求項２０】
インプラント（１００）にハウジング（９）を解放可能に固定させる手段（１０）は雄ネジを備える、請求項１から１９のいずれか一項に記載のキット。
【請求項２１】
少なくとも１つのセンサ（５）は、以下の物理量、すなわちインプラント（１００）にかかる負荷、インプラント（１００）内のひずみ、およびインプラント部品の相対変位、のうちの少なくとも１つに関する測定データを取得するのに適している、請求項１から２０のいずれか一項に記載のキット。
【請求項２２】
少なくとも１つのセンサ（５）は、以下の群の測定プローブ、すなわちインダクタンス計、容量計、増分計ひずみゲージ、特に抵抗線ひずみゲージ、ロードセル、圧電圧力センサ、加速度計、ジャイロスコープ、ゴニオメータ、磁力計、温度センサ、から選択される、請求項１から２１のいずれか一項に記載のキット。
【請求項２３】
イベント警告用のブザーまたはバイブレータをさらに備える、請求項１から２２のいずれか一項に記載のキット。
【請求項２４】
アクチュエータ、好ましくはディストラクタまたはリトラクタをさらに備える、請求項１から２３のいずれか一項に記載のキット。
【請求項２５】
アクチュエータは、圧電アクチュエータ、モータ、および熱発生器のうちの１つである、請求項２４に記載のキット。
【請求項２６】
インプラント（１００）は、骨に取り付け可能であり、好ましくは骨締結具を受けるのに適した少なくとも１つのネジ穴（１０１）を備える、請求項１から２５のいずれか一項に記載のキット。
【請求項２７】
インプラント（１００）のネジ穴（１０１）内に固定され、インプラント（１００）にハウジング（９）を解放可能に固定するための締結具（１３）を受けるのに適している、少なくとも１つのアダプタ（１４）をさらに備える、請求項２６に記載のキット。
【請求項２８】
アダプタ（１４）は、締結具（１３）を螺合可能に受けるための雌ネジを備える、請求項２４に記載のキット。
【請求項２９】
インプラント（１００）は骨プレートである、請求項１から２８のいずれか一項に記載のキット。
【請求項３０】
１つ以上のセンサ（５）はハウジング（９）内に封入されている、請求項１から２９のいずれか一項に記載のキット。
【請求項３１】
１つ以上のセンサ（５）はハウジング（９）の内壁に取り付けられている、請求項３０に記載のキット。
【請求項３２】
インプラント（１００）は、釘先端、釘末端（１０３）、および釘末端（１０３）において開放している中央カニューレ（１０２）を有する髄内釘である、請求項１から２８のいずれか一項に記載のキット。
【請求項３３】
ハウジング（９）は、髄内釘の釘末端（１０３）に解放可能に固定可能なエンドキャップとして構成されている、請求項３２に記載のキット。
【請求項３４】
１つ以上のセンサ（５）は、髄内釘の中央カニューレ（１０２）内に位置決め可能であり、好ましくは配線を介してデータ取得装置（１）と電気的に接続されている、請求項３２または３３に記載のキット。
【請求項３５】
１つ以上のセンサ（５）は、髄内釘の中央カニューレ（１０２）とのプレス嵌めを形成する形状および寸法になっている、請求項３２から３４のいずれか一項に記載のキット。
【請求項３６】
請求項１から３５のいずれか一項に記載のキットから組み立てられた医療装置（３０）の一部である医療用インプラント（１００）を監視および／または制御する方法であって、
Ａ）センサ（５）によって測定データを取得するステップと、
Ｂ）ステップＡ）で取得された測定データに対してデータ処理装置（２）によってリアルタイム処理を実行するステップと、
Ｃ）ステップＢ）での処理データに基づいて統計データを計算するステップと、
Ｄ）統計データをデータメモリ（１６）に記憶させるステップと、
Ｅ）外部データ受信機（６）によって、データメモリ（１６）内に記憶された選択データを照会およびダウンロードするステップと、
Ｆ）さらなるデータ管理および処理のため、ダウンロードされた選択データを外部データ受信機（６）からコンピュータ（１５）に送信するステップと、
を備える方法。
【請求項３７】
ステップＢ）でのリアルタイム処理は、異なる感度閾値を有する１つまたはいくつかのリアルタイム最小−最大検出器およびそれぞれのピークカウンタを採用することで実行される、請求項３６に記載の方法。
【請求項３８】
ステップＣ）で計算される統計データは、ステップＢ）で得られた処理データに基づくリアルタイムの最大値および最小値の合計ならびにピーク数を含む、請求項３６または３７に記載の方法。
【請求項３９】
ステップＤ）で、統計データは、一日のサイクルにわたる所定の時点でまたは手動要求で、自動的にデータメモリ（１６）内に記憶される、請求項３６から３８のいずれか一項に記載の方法。
【請求項４０】
ステップＡ）で、測定データは選択可能な期間の間、好ましくは１０から３０Ｈｚのサンプリング周波数で連続的に収集される、請求項３６から３９のいずれか一項に記載の方法。
【請求項４１】
ステップＣ）で、統計データは最低４時間、好ましくは最低６時間の評価間隔を用いて計算される、請求項３６から４０のいずれか一項に記載の方法。
【請求項４２】
ステップＣ）で、統計データは最大４８時間、好ましくは最大２４時間の評価間隔を用いて計算される、請求項３６から４１のいずれか一項に記載の方法。
【請求項４３】
ステップＣ）で、統計データは選択可能な評価間隔で自動的に計算される、請求項３６から４２のいずれか一項に記載の方法。
【請求項４４】
ステップＥ）で、選択データを照会およびダウンロードする期間はユーザによって自由に選択可能である、請求項３６から４３のいずれか一項に記載の方法。
【請求項４５】
外部データ受信機（６）は、データ取得装置（１）からデータを照会およびダウンロードするように適切にプログラムされたスマートフォンである、請求項３６から４４のいずれか一項に記載の方法。
【請求項４６】
外部コンピュータは、データ収集用データベースを有するウェブサーバとして構成されている、請求項３６から４５のいずれか一項に記載の方法。
【請求項４７】
ステップＡ）の前に較正手順をさらに備え、較正手順は、
ｉ）患者を秤または歩行板の上に立たせるステップと、
ｉｉ）秤または歩行板に印加される負荷を記録するステップと、
ｉｉｉ）センサ（５）の実出力を読み出すステップと、
ｉｖ）ステップｉｉ）で記録された負荷およびステップｉｉｉ）で読み出されたセンサ（５）の実出力を用いて線形較正係数を計算するステップと、
ｖ）線形較正係数を記憶するステップと、
を備える、請求項３６から４６のいずれか一項に記載の方法。
【請求項４８】
請求項３６から４７のいずれか一項に記載の方法を実行するための遠隔測定インプラントシステム内の、請求項１から３５のいずれか一項に記載のキットから組み立てられた医療装置（３０）の使用であって、遠隔測定インプラントシステムは、外部データ受信機（６）および外部コンピュータ（１５）をさらに備える、使用。
【請求項４９】
外部データ受信機（６）は無線インターネット接続を備える、請求項４８に記載の使用。
【請求項５０】
外部データ受信機（６）はスマートフォンである、請求項４８または４９に記載の使用。
【請求項５１】
外部コンピュータ（１５）は、データ収集用データベースおよび個人化データアクセスを有するウェブサーバとして構成される、請求項４８から５０のいずれか一項に記載の使用。
【国際調査報告】
2018522605.tif 000009
2018522605.tif 000010
2018522605.tif 000011
2018522605.tif 000012
2018522605.tif 000013